(57)【特許請求の範囲】
【請求項１】
印刷物に基づく画像情報の送信先に関する複数の送信先情報、及び予め前記送信先情報毎に割り当てられた送信先番号を関連付けて記憶する記憶部と、
前記送信先番号に対応する画像コード、ユーザが前記画像情報の送信を許可するか否かを選択する為の選択画像、及びユーザが画像情報の再送を希望するか否かを選択する為の再送選択画像が印刷されて定型化された媒体、並びに前記印刷物の画像を読み取る画像読取部と、
前記画像読取部によって読み取られた前記画像コードに対応する前記送信先情報を前記記憶部から読み出し、当該読み出した前記送信先情報、及び前記画像読取部によって読み取られた前記選択画像に基づいて、前記画像情報の送信を許可する前記送信先の送信先リスト、及び前記画像情報の送信を許可しない前記送信先の禁止リストを作成するリスト作成部と、
前記画像読取部によって読み取られた前記画像コードに対応する前記送信先情報を前記記憶部から読み出し、当該読み出した前記送信先情報、及び前記画像読取部によって読み取られた前記再送選択画像に基づいて前記画像情報の再送リストを作成する再送リスト作成部と、
前記リスト作成部により作成された前記送信先リストに含まれ、且つ、前記再送リスト作成により作成された前記再送リストに含まれる前記送信先に前記画像情報を送信する画像情報送信部とを備え、
前記画像情報送信部は、前記送信先リスト、前記禁止リスト、及び前記再送リストを参照し、前記送信先リストから前記再送リストに含まれない前記送信先の前記送信先情報を削除した後、削除後の前記送信先リストに含まれ、且つ、前記禁止リストに含まれない前記送信先に対して前記画像情報を送信すること
を特徴とする画像処理装置。
【請求項２】
前記選択画像は、前記画像情報の送信を禁止する送信禁止選択部を有し、
前記リスト作成部は、前記送信禁止選択部に選択マークが付与されていない前記選択画像に対応する前記画像コードの送信先情報に基づいて前記送信先リストを作成すること
を特徴とする請求項１記載の画像処理装置。
【請求項３】
前記選択画像は、再送を示す再送選択部を有し、
前記リスト作成部は、前記再送選択部に選択マークが付与されていない前記選択画像に対応する前記画像コードの送信先情報に基づいて前記送信先リストを作成すること
を特徴とする請求項１記載の画像処理装置。
【請求項４】
前記選択画像は、送信禁止を示す送信禁止選択部を有し、
前記リスト作成部は、前記再送選択部に選択マークが付与され、且つ、前記送信禁止選択部に選択マークが付与されている前記選択画像に対応する前記画像コードの送信先情報を前記送信先リストから除外すること
を特徴とする請求項３記載の画像処理装置。
【発明の詳細な説明】
【技術分野】
【０００１】
本発明は、画像処理装置に関する。
【背景技術】
【０００２】
従来から、特定の送信先に画像情報を送信すると共に、スキャナ等の画像読取部を有するファクシミリ等の画像処理装置としては、特許文献１に記載された発明が知られている。
【０００３】
【特許文献１】特開平９−１３０５７１公報
【０００４】
具体的には、この特許文献１には、文書等の画像情報の送信結果を、送信終了後にレポートとして出力するファクシミリ装置が記載されている。そしてこの様なファクシミリ装置から出力されるレポートには、画像情報の送信時における宛先等の各種設定値に関する情報が印刷されている。そして、この様なファクシミリ装置では、次回送信時に前回出力されたレポートを読み取ることで、画像情報を送信する度に送信先情報を入力する手間を省き、容易に前回送信時と同様の設定値を使用して画像情報の送信を行うことができることとしている。
【発明の開示】
【発明が解決しようとする課題】
【０００５】
しかしながら、上述のファクシミリ装置を用いた場合、画像情報を送信する度に送信時の設定値をレポートとして出力する必要があった。
【０００６】
そこで、本発明はこの様な実情に鑑みてなされたものであり、画像情報を送信する度に送信先情報を入力する手間を省くと共に、画像情報を送信する度に送信時の設定値をレポートとして出力する必要のない画像処理装置を提供することを目的とする。
【課題を解決するための手段】
【０００７】
上記課題を解決する為に、本発明にかかる画像処理装置は、印刷物に基づく画像情報の送信先に関する複数の送信先情報、及び予め前記送信先情報毎に割り当てられた送信先番号を関連付けて記憶する記憶部と、前記送信先番号に対応する画像コード、ユーザが前記画像情報の送信を許可するか否かを選択する為の選択画像、及びユーザが画像情報の再送を希望するか否かを選択する為の再送選択画像が印刷されて定型化された媒体、並びに前記印刷物の画像を読み取る画像読取部と、前記画像読取部によって読み取られた前記画像コードに対応する前記送信先情報を前記記憶部から読み出し、当該読み出した前記送信先情報、及び前記画像読取部によって読み取られた前記選択画像に基づいて、前記画像情報の送信を許可する前記送信先の送信先リスト、及び前記画像情報の送信を許可しない前記送信先の禁止リストを作成するリスト作成部と、前記画像読取部によって読み取られた前記画像コードに対応する前記送信先情報を前記記憶部から読み出し、当該読み出した前記送信先情報、及び前記画像読取部によって読み取られた前記再送選択画像に基づいて前記画像情報の再送リストを作成する再送リスト作成部と、前記リスト作成部により作成された前記送信先リストに含まれ、且つ、前記再送リスト作成により作成された前記再送リストに含まれる前記送信先に前記画像情報を送信する画像情報送信部とを備え、前記画像情報送信部は、前記送信先リスト、前記禁止リスト、及び前記再送リストを参照し、前記送信先リストから前記再送リストに含まれない前記送信先の前記送信先情報を削除した後、削除後の前記送信先リストに含まれ、且つ、前記禁止リストに含まれない前記送信先に対して前記画像情報を送信することを特徴としている。
【０００８】
この構成によれば、画像処理装置は、読み取った媒体に記載された選択画像、及び記憶された送信先情報に基づいて、ユーザが選択した送信先に画像情報を送信することができる。この際、ユーザは、各送信先情報を画像処理装置に入力する必要がなく、選択画像を選択することによって、特定の送信先に対して画像情報を送信することができる。
【発明の効果】
【０００９】
この様に、本発明にかかる画像処理装置によれば、画像情報を送信する度に送信先情報を入力する手間を省くことができると共に、画像情報を送信する度に送信時の設定値をレポートとして出力することを省略することができる。
【発明を実施するための最良の形態】
【００１０】
以下、本発明を適用した具体的な実施の形態について図面を参照しながら詳細に説明する。
【００１１】
図１に示す様に、画像処理装置としての印刷装置１は、ユーザ情報を記憶するユーザ情報記憶部３を備える。ユーザ情報は、図２に示す様に、印刷物に基づく画像情報の送信先としてのＥ−ｍａｉｌアドレスと、Ｅ−ｍａｉｌアドレス毎に割り当てられた送信先番号としてのユーザ番号とを関連付けて構成される。また、ユーザ情報は、当該Ｅ−ｍａｉｌアドレスの使用者としてのユーザ名を包含して構成される。そしてこれらユーザ情報は、例えば外部に設置された図示せぬ情報処理装置等を用いて作成され、予めユーザ情報記憶部３に記憶される。そしてこれらユーザ情報は、送信先リストの作成時に読み出される。
【００１２】
また、印刷装置１は、各種画像をスキャンするスキャナ５を備える。具体的にはスキャナ５は、ユーザが画像情報として他者に送信することを希望する印刷物に印刷された画像をスキャンする。また、スキャナ５は、図３に示す様な定型化された送り状をスキャンする。
【００１３】
送り状は、ユーザ番号をコード化したバーコードが印刷されたバーコード領域７、ユーザが印刷物の送信を許可するか否かを選択する為のチェックボックス領域９、及び当該バーコードにかかるユーザ番号に対応するユーザのユーザ名が印刷されたユーザ名領域１１を１セットとする複数のセットが印刷されて構成される。この様な送り状は、定型化されており、ユーザは予め複数枚の送り状を保有している。そしてユーザは、自身で作成した文書等の画像が印刷された印刷物を他者に送信する際に、送り状のチェックボックス領域９をマークして印刷物の先頭に配置する。このときチェックボックス領域９は、ユーザが画像情報の送信を希望しない場合にマークが付与される。そしてこの様な送り状をスキャンした印刷装置１は、送り状に記載された情報に基づいて、特定の送信先に印刷物に基づく画像情報を送信する。尚、本実施の形態では送り状は一枚の媒体によって構成されているものとして詳細な説明を行うが、送り状が複数枚に渡る場合には、送り状の最終頁に、印刷装置１が送り状の最終頁を認識することができる様な画像を印刷することができる。
【００１４】
ユーザがこの様な送り状を使用して、例えば「佐藤一郎」、「山田太郎」、及び「田中花子」に印刷情報を送信する場合、ユーザは、図４に示す様に、送り状に印刷された「佐藤一郎」、「山田太郎」、及び「田中花子」以外の「田中一郎」、及び「田中次郎」に対応するチェックボックス領域９をチェックする。これにより、印刷装置１は、「田中一郎」、及び「田中次郎」を禁止リストに追加する。また、例えば「佐藤一郎」にのみ印刷物を送信する場合は、図５に示す様に、「山田太郎」、「田中花子」、「田中一郎」、及び「田中次郎」に対応するチェックボックス領域９をチェックする。これにより、印刷装置１は、山田太郎」、「田中花子」、「田中一郎」、及び「田中次郎」を禁止リストに追加する。
【００１５】
そしてスキャナ５によってスキャンされた印刷物の画像情報は、一時的にメモリ１３に格納される。また、スキャナ５によってスキャンされた送り状の画像情報は、可読コード認識部１５及びチェックボックス判定部１７に供給される。
【００１６】
可読コード認識部１５は、スキャナ５がスキャンした送り状の画像情報のうち、バーコード領域７に印刷されたバーコードを解析する。具体的には、可読コード認識部１５は、送り状の画像情報のうち、予め決定された座標にある画像をバーコードとして認識し、当該バーコードを数字列に変換する。そして可読コード認識部１５によって変換された数字列は、送信先リストを作成する送信先リスト作成部１９に供給される。
【００１７】
また、チェックボックス判定部１７は、スキャナ５がスキャンした送り状の画像情報のうち、チェックボックス領域９がユーザによってチェックされているか否かを判断する。具体的には、チェックボックス判定部１７は、予め決定された座標にある画像をチェックボックス領域９として認識し、かかるチェックボックスが所定の濃度以上に塗りつぶされているか否か等を判断することにより、ユーザによりチェックされているか否かを判断する。そしてチェックボックス判定部１７による判定結果は、送信先リスト作成部１９に供給される。
【００１８】
送信先リスト作成部１９は、可読コード認識部１５から供給された解析結果、及びチェックボックス判定部１７による判定結果に基づいてユーザ情報を参照し、送信先リストを作成する。具体的には、送信先リスト作成部１９は、可読コード認識部１５から供給された解析結果及びユーザ情報記憶部３に記憶されたユーザ情報に基づいて、バーコードにより示されたユーザ番号と同一のユーザ番号と関連付けられたＥ−ｍａｉｌアドレスをユーザ情報から抽出して送信先リストを作成する。そして送信先リスト作成部１９は、抽出されたＥ−ｍａｉｌアドレスのうち、チェックボックス判定部１７による判定結果において画像情報の送信が禁止されたユーザの一覧からなる禁止リストを作成する。そして作成された送信先リスト及び禁止リストは、Ｅ−ｍａｉｌ送信部２１に供給される。
【００１９】
Ｅ−ｍａｉｌ送信部２１は、送信先リスト及び禁止リストを参照して、メモリ１３に格納された画像情報をＥ−ｍａｉｌとして送信する。具体的にはＥ−ｍａｉｌ送信部２１は、送信先リストにリストアップされており、且つ、禁止リストにリストアップされていない送信先を宛先として、メモリ１３に格納された画像情報が添付されたＥ−ｍａｉｌを作成する。そしてＥ−ｍａｉｌ送信部２１は、作成したＥ−ｍａｉｌを、インターフェース部２３を介して外部に送信する。そしてＥ−ｍａｉｌは、ネットワーク２５及びサーバ２７を介して所定の宛先に送信される。
【００２０】
また、印刷装置１は、上述した各部を制御する制御部２９、及びユーザに対して各種情報を表示する操作部３１を備える。
【００２１】
以下、印刷装置１の動作について、図６を参照しながら詳細な説明を行う。
【００２２】
ユーザが図示せぬフィーダ等に送り状及び印刷物をセットし、操作部３１を介してスキャン開始の指令を入力すると、ステップＳ１において印刷装置１は、送り状をスキャンする。このとき送り状が複数枚ある場合には、スキャナ５は、全ての送り状をスキャンする。
【００２３】
次に、ステップＳ２において印刷装置１は、送信先リストに宛先を追加する。具体的には送信先リスト作成部１９は、スキャナ５により読み取られたバーコードに対応するユーザのＥ−ｍａｉｌアドレスを送信先リストに追加する。かかる処理は、例えば送り状の上部に印刷されたセットのバーコードを読み取ることで行われる。
【００２４】
次に、ステップＳ３においてかかるセットのチェックボックス領域９がチェックされているか否かを判断する。そして、チェックボックス領域９がチェックされていると判断した場合には、ステップＳ４において印刷装置１は、かかるＥ−ｍａｉｌアドレスを禁止リストに追加した上で、ステップＳ５において全てのバーコードを解析したか否かを判断する。一方、チェックボックス領域９がチェックされていないと判断した場合には、印刷装置１は、禁止リストへの追加を行わず、ステップＳ５の処理を実行する。
【００２５】
そして、ステップＳ５において全てのバーコードを解析していないと判断した場合には、印刷装置１は、次のセットのバーコードの解析を行うべく、ステップＳ２以降の処理を繰り返し実行する。
【００２６】
次に、ステップＳ６において印刷装置１は、印刷物の画像をスキャンする。そして、ステップＳ７において印刷装置１は、送信先リスト及び禁止リストを参照してＥ−ｍａｉｌを作成し、ステップＳ８において作成したＥ−ｍａｉｌを送信する。
【００２７】
この様に印刷装置１によれば、送り状を使用することにより、Ｅ−ｍａｉｌを送信する度に送信先情報を入力する手間を省くことができる。また、同一の送り状を繰り返し使用することにより、同一の送信先に対して繰り返し印刷情報を使用することができる。また、印刷装置１によれば、Ｅ−ｍａｉｌを送信する度にレポートが出力されることを防止することができる。
【００２８】
以下、本発明の第２の実施の形態について詳細な説明を行う。尚、第２の実施の形態にかかる印刷装置は、印刷装置１と同一の構成を有する箇所がある為、該箇所については詳細な説明を省略し、差異のある箇所についてのみ詳細な説明を行う。
【００２９】
図７に示す様に、第２の実施の形態にかかる印刷装置１０１は、チェックボックス判定部１７に代えてチェックボックス判定部１０３を備える。また、印刷装置１０１は、送信先リスト作成部１９に代えて送信先リスト作成部１０５を備える。そしてこの様な印刷装置１０１は、図８に示す様に、再送チェックボックス領域１０７が印刷された送り状を読み込む。
【００３０】
チェックボックス判定部１０３は、チェックボックス判定部１７の構成に加え、再送チェックボックス領域１０７がチェックされているか否かを判断する。そして、かかる判断結果は、送信先リスト作成部１０５に供給される。
【００３１】
送信先リスト作成部１０５は、可読コード認識部１５による解析結果、並びにチェックボックス判定部１７によるチェックボックス領域９及び再送チェックボックス領域１０７のチェックの有無に基づいて、送信先リスト及び禁止リストを作成する。
【００３２】
この様な印刷装置１０１は、例えば上述の様に特定の送信先に対してＥ−ｍａｉｌを送信して、一部の送信先に対して正常にＥ−ｍａｉｌの送信が行われなかった際に、効率的にＥ−ｍａｉｌの再送を行うことを可能とする。例えば上述の例で、「佐藤一郎」、及び「山田太郎」に対して送信を行えなかった場合、ユーザは、図９に示す様に、送信を行えなかった「佐藤一郎」及び「山田太郎」の再送チェックボックス領域１０７をチェックする。そして、ユーザは、かかる送り状を用いて再度、画像情報の送信を行う。その結果、「佐藤一郎」については正常に画像情報の送信が行なわれたが、「山田太郎」には正常に送信されなかったとする。このとき第１の実施の形態の例によれば、ユーザは、再度、「山田太郎」以外の送信先のチェックボックス領域９をチェックした送り状を作成する必要があるが、本実施の形態では、図１０に示した再送時に使用した送り状のうち、再送時に正常に送信が行えた「佐藤一郎」のチェックボックス領域９をチェックすることで、送信先としての「佐藤一郎」は禁止リストに追加される。そしてこれにより、ユーザは、同一の送付状を用いて再送信の際に正常に送信を行えなかった「山田太郎」に対して再々送信を行うことができる。
【００３３】
以下、印刷装置１０１の動作について図１１を参照しながら詳細な説明を行う。
【００３４】
ユーザが図示せぬフィーダ等に送り状及び印刷物をセットし、操作部３１を介してスキャン開始の指令を入力すると、ステップＳ１１において印刷装置１０１は、送り状をスキャンする。次に、ステップＳ１２において印刷装置１０１は、送信先リストに宛先を追加する。次に、ステップＳ１３においてかかるセットのチェックボックス領域９がチェックされているか否かを判断する。そして、チェックボックス領域９がチェックされていると判断した場合には、ステップＳ１４において印刷装置１０１は、かかるＥ−ｍａｉｌアドレスを禁止リストに追加する。
【００３５】
次に、ステップＳ１５において印刷装置１０１は、再送チェックボックス領域１０７がチェックされているか否かを判断する。そして、再送チェックボックス領域１０７がチェックされている場合には、ステップＳ１６において印刷装置１０１は、かかるＥ−ｍａｉｌアドレスを再送リストに追加した上で、ステップＳ１７において全てのバーコードを解析したか否かを判断する。一方、再送チェックボックス領域１０７がチェックされてないと判断した場合には、印刷装置１０１は、再送リストへの追加を行なわず、ステップＳ１７の処理を実行する。
【００３６】
そして、ステップＳ１７において全てのバーコードを解析していないと判断した場合には、印刷装置１０１は、次のセットのバーコードの解析を行うべく、ステップＳ１２以降の処理を繰り返し実行する。
【００３７】
次に、ステップＳ１８において印刷装置１０１は、印刷物の画像をスキャンする。そして、ステップＳ１９において印刷装置１０１は、送信先リスト、禁止リスト、及び再送リストを参照してＥ−ｍａｉｌを作成する。具体的には、印刷装置１０１は、再送リストに宛先がある場合において、送信先リストから再送リストに含まれない宛先を削除する。そして、印刷装置１０１は、送信先リストに含まれ、且つ、禁止リストに含まれない宛先に対してＥ−ｍａｉｌを作成する。そして、ステップＳ１９において印刷装置１０１は、作成したＥ−ｍａｉｌを送信し、一連の処理を終了する。
【００３８】
この様に、印刷装置１０１によれば、再送チェックボックス領域１０７のチェックの有無に基づいて再送リストを作成することで、ユーザはより簡潔に印刷物にかかる画像情報を再送することができる。特に、再送する件数が、前回送信時の半分以下であれば、再送に際してユーザがチェックすべきチェックボックスの数を減らすことができる。
【００３９】
尚、本発明は上述の実施の形態に限られるものではなく、各構成は本発明の趣旨を逸脱しない範囲で適宜変更可能である。
【００４０】
例えば、上述の実施の形態においては、画像情報をＥ−ｍａｉｌにより送信することとしているが、画像情報の送信方法としてファックス等の通信手段を用いることも可能である。この場合、ユーザ情報の送信先情報としては、Ｅ−ｍａｉｌに代えてファックス番号を記憶する。
【００４１】
また、上述の実施の形態では、画像コードとしてバーコードを用いることとしたが、画像コードとしては、二次元バーコードやカラーコードを用いることも可能である。
【００４２】
さらに、上述の実施の形態においては、送り状は定型化されて各ユーザが保有していることとしたが、印刷装置１，１０１においては、例えばユーザが操作部３１を介してＥ−ｍａｉｌの送信処理を実行した際に、当該入力されたＥ−ｍａｉｌアドレスに基づいて送り状を印刷する構成とすることも可能である。
【図面の簡単な説明】
【００４３】
【図１】第１の実施の形態にかかる印刷装置のブロック図である。
【図２】同印刷装置が記憶するユーザ情報の例を示す図である。
【図３】同印刷装置において使用される送り状の例を示す図である。
【図４】同印刷装置において使用される送り状の例を示す図である。
【図５】同印刷装置において使用される送り状の例を示す図である。
【図６】同印刷装置の動作を示すフロー図である。
【図７】第２の実施の形態にかかる印刷装置のブロック図である。
【図８】同印刷装置において使用される送り状の例を示す図である。
【図９】同印刷装置において使用される送り状の例を示す図である。
【図１０】同印刷装置において使用される送り状の例を示す図である。
【図１１】同印刷装置の動作を示すフロー図である。
【符号の説明】
【００４４】
１，１０１    印刷装置
３    ユーザ情報記憶部
５    スキャナ
７    バーコード領域
９    チェックボックス領域
１１    ユーザ名領域
１３    メモリ
１５    可読コード認識部
１７    チェックボックス判定部
１９    送信先リスト作成部
２１    Ｅ−ｍａｉｌ送信部
２３    インターフェース部
２５    ネットワーク
２７    サーバ
２９    制御部
３１    操作部
１０３    チェックボックス判定部
１０５    送信先リスト作成部
１０７    再送チェックボックス領域
【図１】
0004852498.tif 000002
【図２】
0004852498.tif 000003
【図３】
0004852498.tif 000004
【図４】
0004852498.tif 000005
【図５】
0004852498.tif 000006
【図６】
0004852498.tif 000007
【図７】
0004852498.tif 000008
【図８】
0004852498.tif 000009
【図９】
0004852498.tif 000010
【図１０】
0004852498.tif 000011
【図１１】
0004852498.tif 000012